(57)【特許請求の範囲】
【請求項１】
造営材に取り付けられる器具本体と、前記器具本体の前面に取り付けられる１つ又は複数の光源モジュールと、透光性を有し、前記光源モジュールを前方から覆うように前記器具本体に取り付けられるカバーとを備え、
前記カバーは、前記器具本体の前面からの距離が中央部分と周縁部分とで異なり、かつ、前記中央部分よりも前記周縁部分の方が前記距離が短くなるように形成されており、
前記光源モジュールは、全体として円環状に形成された基板と、前記基板の前面において前記基板の周方向に沿った複数の円弧上にそれぞれ実装される複数個の第１固体発光素子及び複数個の第２固体発光素子とを有し、前記複数の円弧上のそれぞれに前記第１固体発光素子及び前記第２固体発光素子を少なくとも一つずつ配置するように構成され、
前記複数個の第１固体発光素子は、第１色温度の光を放射するように構成され、
前記複数個の第２固体発光素子は、前記第１色温度よりも低い第２色温度の光を放射するように構成され、
さらに、前記光源モジュールは、前記カバーの前記周縁部分と対向する前記基板の前面において、前記複数の円弧上にそれぞれ実装される第２固体発光素子の個数を前記第１固体発光素子の個数よりも少なくし、前記カバーの前記周縁部分と対向する部位において単位面積当たりに前記基板の前面に実装される前記第２固体発光素子の光束を、前記カバーの前記中央部分と対向する部位において単位面積当たりに前記基板の前面に実装される前記第２固体発光素子の光束よりも少なくするように構成されていることを特徴とする照明器具。
【発明の詳細な説明】
【技術分野】
【０００１】
本発明は、照明器具に関し、より詳細には光色が異なる複数種類の固体発光素子を光源とする照明器具に関する。
【背景技術】
【０００２】
従来例として、特許文献１に記載されているＬＥＤ照明器具を例示する。特許文献１記載のＬＥＤ照明器具（以下、従来例という）は、天井に直付けされる、いわゆるシーリングライトであり、第１〜第３のＬＥＤ基板と、これら複数のＬＥＤ基板を下面側で支持する支持部と、支持部の下面側を覆うカバーとを備えている。支持部は、上下方向から見て円盤状に形成されている。第１ＬＥＤ基板及び第２ＬＥＤ基板は、いずれも部分円環形状に形成されており、昼白色の光を発する昼白色ＬＥＤモジュールと、電球色の光を発する電球色ＬＥＤモジュールとが周方向及び径方向に沿って交互に並ぶように実装されている。また、カバーは、傾斜部、中央部、および外枠部を有している。傾斜部は、たとえば乳白色の半透明の樹脂からなり、第１ＬＥＤ基板および第２ＬＥＤ基板を覆っている。また、傾斜部は、中央に向かうほど下方に位置するように傾斜している。この従来例は、昼白色ＬＥＤモジュールと電球色ＬＥＤモジュールのいずれか一方のみを発光させたり、両者を種々の割合で発光させることにより、電球色から昼白色の範囲における任意の色温度の光を照射することができる。
【先行技術文献】
【特許文献】
【０００３】
【特許文献１】特開２０１５−１２２３２９号公報（［００３５］−［００４１］及び図４、図５参照）
【発明の概要】
【発明が解決しようとする課題】
【０００４】
ところで、上記従来例は、昼白色ＬＥＤモジュール及び電球色ＬＥＤモジュールから放射される光（光束）をカバーの傾斜部で拡散させることによって、それぞれのＬＥＤモジュールの輝度むらを目立ち難くしている。
【０００５】
しかしながら、一般に、色温度の高い昼白色ＬＥＤモジュールに比べて、色温度の低い電球色ＬＥＤモジュールの方が輝度むらが目立ち易い傾向にある。また、第２ＬＥＤ基板の外周縁近くに実装されている電球色ＬＥＤモジュールは、第１ＬＥＤ基板に実装されている電球色ＬＥＤモジュールと比較して、カバーの傾斜部との距離が近くなるために一層輝度むらが目立ち易い。
【０００６】
本発明は、上記課題に鑑みてなされており、色温度が相対的に低い光の輝度むらを目立ち難くすることを目的とする。
【課題を解決するための手段】
【０００７】
本発明の照明器具は、造営材に取り付けられる器具本体と、前記器具本体の前面に取り付けられる１つ又は複数の光源モジュールと、透光性を有し、前記光源モジュールを前方から覆うように前記器具本体に取り付けられるカバーとを備え、前記カバーは、前記器具本体の前面からの距離が中央部分と周縁部分とで異なり、かつ、前記中央部分よりも前記周縁部分の方が前記距離が短くなるように形成されており、前記光源モジュールは、全体として円環状に形成された基板と、前記基板の前面において前記基板の周方向に沿った複数の円弧上にそれぞれ実装される複数個の第１固体発光素子及び複数個の第２固体発光素子とを有し、前記複数の円弧上のそれぞれに前記第１固体発光素子及び前記第２固体発光素子を少なくとも一つずつ配置するように構成され、前記複数個の第１固体発光素子は、第１色温度の光を放射するように構成され、前記複数個の第２固体発光素子は、前記第１色温度よりも低い第２色温度の光を放射するように構成され、さらに、前記光源モジュールは、前記カバーの前記周縁部分と対向する前記基板の前面において、前記複数の円弧上にそれぞれ実装される第２固体発光素子の個数を前記第１固体発光素子の個数よりも少なくし、前記カバーの前記周縁部分と対向する部位において単位面積当たりに前記基板の前面に実装される前記第２固体発光素子の光束を、前記カバーの前記中央部分と対向する部位において単位面積当たりに前記基板の前面に実装される前記第２固体発光素子の光束よりも少なくするように構成されていることを特徴とする。
【発明の効果】
【０００８】
本発明の照明器具は、色温度が相対的に低い光の輝度むらを目立ち難くすることができるという効果がある。
【図面の簡単な説明】
【０００９】
【図１】本発明の実施形態に係る照明器具を示す分解斜視図である。
【図２】本発明の実施形態に係る照明器具を示す断面図である。
【図３】本発明の実施形態に係る照明器具におけるＬＥＤモジュールの正面図である。
【図４】本発明の実施形態に係る照明器具の要部の断面図である。
【図５】図５Ａは本発明の実施形態に係る照明器具の回路ブロック図であり、図５Ｂは本発明の実施形態に係る照明器具の電源ユニットにおける第１点灯回路部及び第２点灯回路部の回路図である。
【発明を実施するための形態】
【００１０】
以下、本発明の実施形態に係る照明器具Ｘについて、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
本実施形態に係る照明器具Ｘ（以下、照明器具Ｘと略す）は、図１及び図２に示すように、造営材（天井仕上げ材）に取り付けられる器具本体１と、器具本体１の前面（下面）に取り付けられる複数（図示例では４つ）の光源モジュール２とを備える。また、照明器具Ｘは、光源モジュール２を前方から覆うように器具本体１に取り付けられるカバー３を備える。さらに、照明器具Ｘは、内カバー４、外枠５、電源ユニット６などを備えている。なお、照明器具Ｘは、住宅の天井に配設されている引掛シーリングＹに取り付けられる、いわゆるシーリングライトである。したがって、図１において、器具本体１からカバー３に向かう向きが下向きとなり、カバー３から器具本体１に向かう向きが上向きとなる。
【００１２】
器具本体１は、鋼板などの金属板によって、おおよそ円盤状に形成されている。器具本体１は、下向きに突出する支持台１０を有している。支持台１０は、おおよそ円錐台形状に形成されている。ただし、支持台１０の中央には、上向きに凹んだ凹所１１が設けられている。また、凹所１１の底面には、引掛シーリングアダプタ１２が着脱可能に装着されている（図１及び図２参照）。引掛シーリングアダプタ１２は、一対の引掛刃を有しており、天井に配設されている引掛シーリングＹの引掛刃用引掛部に一対の引掛刃がかん合されることで引掛シーリングＹに取り付けられる。ただし、このような引掛シーリングＹ及び引掛シーリングアダプタ１２は従来周知であるから、詳細な説明を省略する。
【００１３】
外枠５は、図１及び図２に示すように、円筒形の本体部５０、本体部５０の下端から径方向に沿って外向きに突出する円環状の鍔部５１、本体部５０の上端から径方向に沿って内向きに突出する台形状の３つの固定片５２などを有する。ただし、本体部５０、鍔部５１及び３つの固定片５２は、スチレン樹脂などの合成樹脂によって一体に形成されることが好ましい。外枠５は、本体部５０の内側に器具本体１を収容するように構成されている（図２参照）。外枠５は、３つの固定片５２がねじ止めされて器具本体１に固定されている。
【００１４】
カバー３は、図１及び図２に示すように、上面が開放された有底円筒形に形成されている。また、カバー３は、下側の底壁３０がおおよそドーム形に形成されている。さらに、カバー３は、上端部分の外周面から径方向に沿って外向きに突出する複数の突部を有している。これらの突部は、上下方向から見て三角形状若しくは台形状に形成されることが好ましい。カバー３は、アクリル樹脂等の透光性を有する合成樹脂に、拡散材が混入された成形体で構成されている。なお、カバー３は、器具本体１の下面における外周縁近傍に設けられている複数の引掛部１３に、複数の突部がそれぞれ引っ掛けられることで器具本体１に着脱可能に取り付けられている。
【００１５】
４つの光源モジュール２は、全て共通の構成を有している。個々の光源モジュール２は、図３に示すように、基板２０と、複数個（図示例では９６個）の第１ＬＥＤ２１と、複数個（図示例では３２個）の第２ＬＥＤ２２とを有する。なお、図３においては、第２ＬＥＤ２２に水玉模様（ドット）が施されることで第１ＬＥＤ２１と区別されている。基板２０は、例えば、ガラス布基材エポキシ樹脂などの電気絶縁性を有する材料によって、円環を周方向に４等分した形状に形成されることが好ましい（図３参照）。また、基板２０は、銅はくからなる導電路が形成されている第１面（下面）に、第１ＬＥＤ２１及び第２ＬＥＤ２２が実装されている。さらに、基板２０の第１面には、２つのレセプタクルコネクタ２３、２４も実装されている。これら２つのレセプタクルコネクタ２３、２４は、第１面に形成されている導電路と電気的に接続されている。ここで、基板２０の長い方の円弧に相当する一端縁（長い方の円弧の端縁）を基板２０の外周縁２００と呼び、基板２０の短い方の円弧に相当する他端縁（短い方の円弧の端縁）を基板２０の内周縁２０１と呼ぶ。
【００１６】
第１ＬＥＤ２１及び第２ＬＥＤ２２は、ＬＥＤチップが実装されている実装基板がアノード電極及びカソード電極とともに、扁平な直方体形状のパッケージに収容されて構成されている。なお、このような構造のＬＥＤは、通常、ＬＥＤパッケージと呼ばれる。ただし、第１ＬＥＤ２１と第２ＬＥＤ２２とは、発光色が互いに異なっている。例えば、第１ＬＥＤ２１は、色温度（または相関色温度）が６５００［Ｋ（ケルビン）］の白色光を放射するＬＥＤパッケージで構成されている。また、第２ＬＥＤ２２は、色温度（または相関色温度）が２７００［Ｋ（ケルビン）］の電球色光を放射するＬＥＤパッケージで構成されている。以下の説明においては、第１ＬＥＤ２１から放射される光の色温度を第１色温度と呼び、第２ＬＥＤ２２から放射される光の色温度を第２色温度と呼ぶ。ただし、第１色温度は６５００［Ｋ］に限定されず、同じく第２色温度は２７００［Ｋ］に限定されない。
【００１７】
複数個の第１ＬＥＤ２１及び複数個の第２ＬＥＤ２２は、基板２０の第１面において、周方向及び径方向に沿って互いに間隔を空けて並ぶように実装されている。そして、複数個の第１ＬＥＤ２１は、第１面に形成されている導電路によって、互いに電気的に接続され、かつ、一方のレセプタクルコネクタ２３とも電気的に接続されている。同じく、複数個の第２ＬＥＤ２２は、第１面に形成されている導電路によって、互いに電気的に接続され、かつ、他方のレセプタクルコネクタ２４とも電気的に接続されている。つまり、複数個の第１ＬＥＤ２１と一方のレセプタクルコネクタ２３と導電路で電気回路（第１光源回路）が形成され、複数個の第２ＬＥＤ２２と他方のレセプタクルコネクタ２４と導電路で別の電気回路（第２光源回路）が形成されている。ただし、基板２０の第１面は、第１ＬＥＤ２１、第２ＬＥＤ２２及びレセプタクルコネクタ２３、２４を除いて、白色のレジストで覆われることが好ましい。
【００１８】
４つの光源モジュール２は、基板２０の第２面（上面）を器具本体１の支持台１０の下面に接触させ、かつ、円環状に並べて配置されている（図１参照）。そして、これら４つの光源モジュール２は、内カバー４によって器具本体１に固定されている（図２及び図４参照）。
【００１９】
内カバー４は、図１及び図２に示すように、アクリル樹脂やポリカーボネート樹脂などの透光性を有する合成樹脂により、中央に円形の孔４０を有し、かつ孔４０の外側が下向きに膨らんだ円環状に形成されている。内カバー４の下向きに膨らんだ部分（以下、膨出部４１と呼ぶ）は、径方向における断面形状が、おおよそ台形状となるように形成されている（図２参照）。内カバー４は、膨出部４１の内側及び外側において、支持台１０にねじ止めされることによって器具本体１に固定されている。内カバー４は、４つの基板２０の外周縁２００側の端部及び内周縁２０１側の端部をそれぞれ支持台１０との間に挟み込むことにより、４つの光源モジュール２を器具本体１に固定している（図２及び図４参照）。
【００２０】
ここで、器具本体１に固定されている４つの光源モジュール２は、それぞれ２つのレセプタクルコネクタ２３、２４にプラグコネクタ２５、２６がそれぞれ差込接続されている（図４参照）。これらのプラグコネクタ２５、２６は、電線と電気的に接続されている。また、電線は、電源ユニット６の出力端子と電気的に接続されている。つまり、４つの光源モジュール２は、電線とコネクタ（レセプタクルコネクタ２３、２４及びプラグコネクタ２５、２６）を介して、電源ユニット６と電気的に接続されている。
【００２１】
電源ユニット６は、図５Ａに示すように第１点灯回路部６０及び第２点灯回路部６１、制御部６２、力率改善回路６３、リモコン受信部６４などを備える。力率改善回路６３は、例えば、昇圧チョッパ回路で構成されることが好ましい。力率改善回路６３は、商用の電力系統Ｚから供給される交流電圧を、当該交流電圧の実効値よりも高い直流電圧に変換することで力率を改善するように構成される。
【００２２】
第１点灯回路部６０は、力率改善回路６３から出力される直流電圧を所望の直流電圧（第１ＬＥＤ２１の駆動電圧）まで降圧するスイッチング電源回路を有する。同様に、第２点灯回路部６１は、力率改善回路６３から出力される直流電圧を所望の直流電圧（第２ＬＥＤ２２の駆動電圧）まで降圧するスイッチング電源回路を有する。
【００２３】
第１点灯回路部６０は、図５Ｂに示すように、スイッチング電源回路である降圧チョッパ回路と、降圧チョッパ回路を駆動する駆動回路６００とで構成される。同様に、第２点灯回路部６１は、図５Ｂに示すように、スイッチング電源回路である降圧チョッパ回路と、降圧チョッパ回路を駆動する駆動回路６１０とで構成される。降圧チョッパ回路は、力率改善回路６３の正極側の出力端子にダイオードＤ１のカソードが電気的に接続され、ダイオードＤ１のアノードと力率改善回路６３の負極側の出力端子との間にスイッチング素子Ｑ１及び抵抗Ｒ１の直列回路が挿入される。また、ダイオードＤ１のカソード・アノード間に、電解コンデンサからなる平滑コンデンサＣ１及びインダクタＬ１が電気的に直列接続され、平滑コンデンサＣ１の両端に放電用の抵抗Ｒ２が電気的に接続される。なお、第１点灯回路部６０の出力端（降圧チョッパ回路の出力端）の間には、４つの光源モジュール２の全ての第１光源回路が電気的に接続されている。同じく、第２点灯回路部６１の出力端（降圧チョッパ回路の出力端）間には、４つの光源モジュール２の全ての第２光源回路が電気的に接続されている。このような降圧チョッパ回路の動作は従来周知であり、スイッチング素子Ｑ１が高周波でスイッチングされることにより、入力電圧から降圧された直流電圧が平滑コンデンサＣ１の両端より第１光源回路及び第２光源回路に出力される。また駆動回路６００、６１０は、制御部６２から与えられる制御信号に応じてスイッチング素子Ｑ１をスイッチングするように構成される。
【００２４】
制御部６２は、マイクロコントローラ及びメモリなどのハードウェアと、メモリに保存されてマイクロコントローラのＣＰＵ（中央演算処理装置）で実行されるプログラム（ソフトウェア）とで構成されることが好ましい。そして、以下に説明する制御部６２の動作（処理）は、マイクロコントローラのＣＰＵがプログラムを実行することで実現される。なお、電源ユニット６は、電源回路を備えることが好ましい。電源回路は、例えば、力率改善回路６３の出力電圧から、第１点灯回路部６０、第２点灯回路部６１、制御部６２、力率改善回路６３、リモコン受信部６４の動作電源（５ボルトや３．３ボルトの直流電圧など）を作成するように構成される。
【００２５】
ここで、制御部６２は、第１点灯回路部６０及び第２点灯回路部６１のスイッチング電源回路を間欠動作させ、かつ、間欠動作の周期に対する動作期間（オン期間）のデューティ比を１００％から下限値（例えば、５％）の範囲で増減する。これにより、制御部６２は、第１ＬＥＤ２１及び第２ＬＥＤ２２の光量（光束）を調整（調光）することができる。つまり、デューティ比が高くなるほど、第１ＬＥＤ２１及び第２ＬＥＤ２２の光量が増加し、デューティ比が低くなるほど、第１ＬＥＤ２１及び第２ＬＥＤ２２の光量が減少する。そして、デューティ比が１００％（調光範囲の上限）の場合はスイッチング電源回路が常時動作して第１ＬＥＤ２１及び第２ＬＥＤ２２が定格点灯する。なお、以下の説明では、上述したデューティ比を調光比と呼ぶ。
【００２６】
また、照明器具Ｘでは、第１ＬＥＤ２１の第１光色（白色）と第２ＬＥＤ２２の第２光色（電球色）が異なっている。したがって、制御部６２が第１ＬＥＤ２１の光量（調光比）と第２ＬＥＤ２２の光量（調光比）との割合を変化させることにより、照明光の光色を第１光色と第２光色の間で調整（調色）することができる。つまり、第１ＬＥＤ２１の光量（調光比）の割合が高くなるほど光色が第１光色に近く（色温度が高く）なり、第２ＬＥＤ２２の光量（調光比）の割合が高くなるほど光色が第２光色に近く（色温度が低く）なる。そして、第１ＬＥＤ２１の調光比が０％よりも高く、かつ、第２ＬＥＤ２２の調光比が０％の場合は、照明光の光色が第１光色に等しくなる。一方、第１ＬＥＤ２１の調光比が０％、かつ、第２ＬＥＤ２２の調光比が０％よりも高い場合は、照明光の光色が第２光色に等しくなる。なお、以下の説明では、第１ＬＥＤ２１の調光比と第２ＬＥＤ２２の調光比との割合（比率）を調色比と呼ぶ。
【００２７】
リモコン受信部６４は、リモートコントローラ（以下、リモコンと略す）から送信される赤外線信号を受信（受光）し、受信した赤外線信号から復調した制御コードを制御部６２に出力する。そして、制御部６２は、制御コードに対応した動作、例えば、制御コードで指示される調光比及び調色比となるように、第１点灯回路部６０及び第２点灯回路部６１を制御して第１ＬＥＤ２１及び第２ＬＥＤ２２の調光比を調整する。
【００２８】
電源ユニット６は、金属製のケース６７を有している。このケース６７には、プリント配線板６５が収容されている。プリント配線板６５には、第１点灯回路部６０、第２点灯回路部６１、制御部６２、力率改善回路６３、リモコン受信部６４などを構成する種々の電子部品６６が実装されている（図２参照）。なお、電源ユニット６のケース６７は、器具本体１における支持台１０の上面に配置されて器具本体１にねじ止めされている（図２参照）。
【００２９】
照明器具Ｘは、４つの光源モジュール２から放射される光（照明光）を、カバー３（の底壁３０）を透過させる際に拡散材で拡散させて照明空間に照射する。つまり、光源モジュール２に実装されている複数個の第１ＬＥＤ２１及び第２ＬＥＤ２２から放射される光は、カバー３（の底壁３０）で拡散されることで輝度むらが目立ち難くされている。
【００３０】
ここで、従来技術で説明したように、高い色温度の光を放射する第１ＬＥＤ２１に比べて、低い色温度の光を放射する第２ＬＥＤ２２の方が輝度むらが目立ち易い傾向にある。また、カバー３の底壁３０が下向きに突出したドーム形であるので、基板２０の外周縁２００に近い部位に実装されている第２ＬＥＤ２２ほど、カバー３の底壁３０までの距離が短くなっている（図４参照）。そのため、基板２０の外周縁２００に近い部位に実装されている第２ＬＥＤ２２から放射される光の輝度むらが目立ち易くなるおそれがある。
【００３１】
そこで、本実施形態に係る照明器具Ｘでは、第２ＬＥＤ２２から放射される光の輝度むらをさらに目立ち難くするために、光源モジュール２が以下のように構成されている。すなわち、光源モジュール２は、第１の領域Ｓ１において単位面積当たりに放射される第２色温度の光の光束を、第２の領域Ｓ２において単位面積当たりに放射される第２色温度の光の光束よりも少なくなるように構成されている（図３参照）。第１の領域Ｓ１とは、図３に破線で示すように、カバー３の底壁３０の周縁部分と対向する部位、すなわち、基板２０の外周縁２００に近い領域である。また、第２の領域Ｓ２とは、図３に一点破線で示すように、カバー３の底壁３０の中央部分と対向する部位、すなわち、基板２０の内周縁２０１に近い領域である。
【００３２】
具体的には、光源モジュール２は、第１の領域Ｓ１内に実装されている第２ＬＥＤ２２同士の間隔の平均値が、第２の領域Ｓ２内に実装されている第２ＬＥＤ２２同士の間隔の平均値よりも大きくなるように構成されている。言い換えると、光源モジュール２は、第１の領域Ｓ１において単位面積当たりに実装される第２ＬＥＤ２２の個数を、第２の領域Ｓ２において単位面積当たりに実装される第２ＬＥＤ２２の個数よりも少なくするように構成されることが好ましい。光源モジュール２が上述のように構成されれば、第１の領域Ｓ１において単位面積当たりに放射される第２色温度の光の光束が相対的に少なくなるため、第１の領域Ｓ１における第２色温度の光の輝度むらが目立ち難くなる。特に、光源モジュール２は、第１の領域Ｓ１内に第２ＬＥＤ２２が実装されなければ、第１の領域Ｓ１における第２色温度の光の輝度むらをさらに目立ち難くできる。
【００３３】
上述のように照明器具Ｘは、造営材（例えば、天井仕上げ材）に取り付けられる器具本体１を備えている。また、照明器具Ｘは、器具本体１の前面（下面）に取り付けられる１つ又は複数の光源モジュール２と、透光性を有し、光源モジュール２を前方（下方）から覆うように器具本体１に取り付けられるカバー３とを備えている。カバー３は、器具本体１の下面からの距離が中央部分と周縁部分とで異なり、かつ、中央部分よりも周縁部分の方が距離が短くなるように形成されている。光源モジュール２は、基板２０と、基板２０の前面（下面）に実装される複数個の第１固体発光素子（第１ＬＥＤ２１）及び複数個の第２固体発光素子（第２ＬＥＤ２２）とを有している。複数個の第１ＬＥＤ２１は、第１色温度（例えば、６５００［Ｋ］）の光を放射するように構成され、複数個の第２ＬＥＤ２２は、第１色温度よりも低い第２色温度（例えば、２７００［Ｋ］）の光を放射するように構成されている。また、光源モジュール２は、カバー３の周縁部分と対向する部位において単位面積当たりに放射される第２色温度の光の光束を、カバー３の中央部分と対向する部位において単位面積当たりに放射される第２色温度の光の光束よりも少なくするように構成されている。
【００３４】
照明器具Ｘが上述のように構成されれば、カバー３の周縁部分と対向する部位（第１の領域Ｓ１）において単位面積当たりに放射される第２色温度の光の光束が相対的に少なくなるため、第１の領域Ｓ１における第２色温度の光の輝度むらが目立ち難くなる。
【００３５】
また、照明器具Ｘにおいて、光源モジュール２は、カバー３の周縁部分と対向する部位（第１の領域Ｓ１）において単位面積当たりに基板２０の前面に実装される第２ＬＥＤ２２の個数が、以下の条件を満たすように構成されていることが好ましい。その条件は、前記個数が、カバー３の中央部分と対向する部位に（第２の領域Ｓ２）おいて単位面積当たりに基板２０の前面に実装される第２ＬＥＤ２２の個数よりも少ないという条件であることが好ましい。
【００３６】
照明器具Ｘが上述のように構成されれば、第１の領域Ｓ１における第２ＬＥＤ２２の個数を減らすだけで、第１の領域Ｓ１における第２色温度の光の輝度むらを目立ち難くすることができる。
【００３７】
さらに、照明器具Ｘにおいて、光源モジュール２は、カバー３の周縁部分と対向する部位（第１の領域Ｓ１）において単位面積当たりに基板２０の前面に実装される第２ＬＥＤ２２の光束が、以下の条件を満たすように構成されていることが好ましい。その条件は、前記光束が、カバー３の中央部分と対向する部位（第２の領域Ｓ２）において単位面積当たりに基板２０の前面に実装される第２ＬＥＤ２２の光束よりも少ないという条件であることが好ましい。例えば、光源モジュール２は、第１の領域Ｓ１に実装される第２ＬＥＤ２２として、第２の領域Ｓ２に実装される第２ＬＥＤ２２よりも、定格電圧が印加されているときの光束が少ないＬＥＤパッケージを用いて構成されることが好ましい。あるいは、光源モジュール２は、第１の領域Ｓ１の第２ＬＥＤ２２に供給される電流が、第２の領域Ｓ２の第２ＬＥＤ２２に供給される電流よりも常に小さくなるように構成されることが好ましい。
【００３８】
照明器具Ｘが上述のように構成されれば、第１の領域Ｓ１における第２ＬＥＤ２２の光束を減らすだけで、第１の領域Ｓ１における第２色温度の光の輝度むらを目立ち難くすることができる。
【符号の説明】
【００３９】
Ｘ  照明器具
Ｓ１  第１の領域
Ｓ２  第２の領域
１  器具本体
２  光源モジュール
３  カバー
２０  基板
２１  第１ＬＥＤ（第１固体発光素子）
２２  第２ＬＥＤ（第２固体発光素子）
【図１】
0006650613.tif 000002
【図２】
0006650613.tif 000003
【図３】
0006650613.tif 000004
【図４】
0006650613.tif 000005
【図５】
0006650613.tif 000006